(57)【要約】【課題】複数の電線でも手動で容易に同時切断可能として使い勝手を良好とする。【解決手段】電線切断治具１は、電線を切断可能な固定刃１８及び可動刃の列を中央上面に２列設けた治具本体２内に、前後方向へのスライドによって可動刃を回転させる一対のスライダ３，３を設けてなり、治具本体２の後方に設けられたブラケット板５には、各スライダ３ごとに、角部がブラケット板５に軸着され、短手端部９の先端がスライダ３の後端に軸着されたレバー７が設けられている。よって、各レバー７の長手端部８を把持してピン１０を中心に回転させると、スライダ３が後方へスライドし、可動刃を回転させて電線の切断が可能となる。【選択図】図１
2008114292.tif 000002
【特許請求の範囲】
【請求項１】
治具本体に、端面に開口する軸孔と、その軸孔の直径方向で前記軸孔と連通するように前記端面に凹設される固定溝とを備えた固定刃と、前記軸孔へ回転可能に遊挿され、前記固定溝側の端面に、前記固定溝と連続状の可動溝を直径方向に凹設した可動刃とを設けて、前記固定溝と可動溝とに跨って電線を挿入させた状態で前記可動刃を回転させることで、前記電線を前記固定刃と可動刃との間で切断可能とした電線切断治具であって、
前記固定刃と可動刃とを、直線状に且つ前記固定溝が互いに平行となるように複数組配設する一方、前記治具本体に、前記固定刃及び可動刃の配設方向へ前後にスライド可能で、そのスライドに伴い連係機構を介して前記各可動刃を同調して回転させるスライダを設けると共に、前記スライダに連結され、回転操作によって前記スライダをスライドさせるレバーを設けたことを特徴とする電線切断治具。
【請求項２】
固定刃と可動刃との組を、２列で且つ左右互い違いとなる千鳥状に配設した請求項１に記載の電線切断治具。
【請求項３】
固定刃における固定溝の形成部分で、少なくとも可動刃の回転に伴う電線の受け側に、軸孔の軸方向から見て鋭角状となり、先端が軸孔の円周上に位置する刃部を形成した請求項１又は２に記載の電線切断治具。
【請求項４】
可動刃を、固定刃との間で電線を切断可能な使用位置と、前記固定刃から離れる不使用位置との間で移動可能とする一方、治具本体に、前記可動刃と係合して前記使用位置と不使用位置との何れかに前記可動刃を保持する切替治具を設けた請求項１乃至３の何れかに記載の電線切断治具。
【発明の詳細な説明】
【技術分野】
【０００１】
本発明は、狭い場所に布線されている電線を切断するために用いられる電線切断治具に関する。
【背景技術】
【０００２】
従来、電線を切断する場合、ニッパー等の工具を用いて切断することがよく行われるが、工具が入らないような狭い場所に布線されている電線を切断することができない。そこで、本件出願人は、軸孔を開口させた端面に軸孔と連通する直径方向の固定溝が凹設された固定刃と、軸孔へ回転自在に遊挿され、端面に固定刃の固定溝と連続状に繋がる可動溝が直径方向に凹設された可動刃とを用いた電線切断方法とその装置とを提供している（特許文献１）。
【０００３】
これによれば、固定刃と可動刃との溝が繋がった状態で電線を挿入し、可動刃を回転させることで、可動溝の両端に位置する刃部が電線に食い込む格好で固定刃との間で周方向に電線を二カ所切断することができ、固定刃が入るスペースさえあれば狭い場所でも電線の切断が行える。
また、ここでは、下端に切断溝を複数並設した固定刃内に、可動刃を各切断溝に対応させて複数並設し、各可動刃にブラケットを介して夫々設けたシャフトを回動アームに連結して、回動アームのスライド操作によって複数の可動刃を同時に回転させることで、並設された複数の電線を同時に一括切断可能とする電線切断装置も開示している。
【０００４】
【特許文献１】特開２００３−８０３３３号公報
【発明の開示】
【発明が解決しようとする課題】
【０００５】
近年、上述のような装置を手軽に持ち運んで利用したいとのニーズが高まっていた。しかし、従来は、複数の電線を手動により切断するための具体的構造までは知られていなかった。上記電線切断装置においては、単純に手で回動アームをスライド操作する構造であるため、複数の電線を切断させる際の切断抵抗が大きくなり、作業者への負荷が増大してしまう。
【０００６】
そこで、本発明は、複数の電線でも手動で容易に同時切断でき、使い勝手が良好な電線切断治具を提供することを目的としたものである。
【課題を解決するための手段】
【０００７】
上記目的を達成するために、請求項１に記載の発明は、固定刃と可動刃とを、直線状に且つ固定溝が互いに平行となるように複数組配設する一方、治具本体に、固定刃及び可動刃の配設方向へ前後にスライド可能で、そのスライドに伴い連係機構を介して各可動刃を同調して回転させるスライダを設けると共に、スライダに連結され、回転操作によってスライダをスライドさせるレバーを設けたことを特徴とするものである。
請求項２に記載の発明は、請求項１の目的に加えて、ピッチの小さい電線でも切断可能とするために、固定刃と可動刃との組を、２列で且つ左右互い違いとなる千鳥状に配設したものである。
請求項３に記載の発明は、請求項１又は２の目的に加えて、電線を綺麗に切断し、固定刃や可動刃の耐久性も向上させるために、固定刃における固定溝の形成部分で、少なくとも可動刃の回転に伴う電線の受け側に、軸孔の軸方向から見て鋭角状となり、先端が軸孔の円周上に位置する刃部を形成したものである。
請求項４に記載の発明は、請求項１乃至３の何れかの目的に加えて、電線の切断箇所に合わせた可動刃の使用／不使用の切替を容易に行うために、可動刃を、固定刃との間で電線を切断可能な使用位置と、固定刃から離れる不使用位置との間で移動可能とする一方、治具本体に、可動刃と係合して使用位置と不使用位置との何れかに可動刃を保持する切替治具を設けたものである。
【発明の効果】
【０００８】
請求項１に記載の発明によれば、複数の電線であってもレバーを利用して手動で容易に同時切断可能となり、作業者への負荷を軽減して良好な使い勝手が得られる。
請求項２に記載の発明によれば、請求項１の効果に加えて、ピッチの小さい電線でも支障なく切断可能となる。
請求項３に記載の発明によれば、請求項１又は２の効果に加えて、電線を見栄えよく綺麗に切断することができる。また、切断抵抗が低減されるので、固定刃及び可動刃の寿命が長くなって耐久性に優れる上、作業者への負荷も軽減されてより使い勝手が良好となる。
請求項４に記載の発明によれば、請求項１乃至３の何れかの効果に加えて、切断治具の採用により、電線の切断箇所に合わせた可動刃の使用／不使用の切替が容易に行える。
【発明を実施するための最良の形態】
【０００９】
以下、本発明の実施の形態を図面に基づいて説明する。
図１は、本発明の電線切断治具の一例を示す斜視図、図２は正面、平面、左側面の３面を表す説明図で、電線切断治具（以下単に「治具」という。）１は、扁平な平面矩形状の箱体である治具本体２内に、互いに平行な一対のスライダ３，３を前後方向へスライド可能に遊挿してなり、治具本体２の後方（図１の左上側を前方とする）に設けられた閉塞板４には、Ｌ字状のブラケット板５が連設されて、ブラケット板５の下端部中央に、治具本体２と平行なグリップ６が後方へ向けて突設されている。また、ブラケット板５には、各スライダ３，３に対応した左右一対のレバー７，７が設けられている。
【００１０】
レバー７は、長手端部８と、その長手端部８と直角に連設される短手端部９とからなるＬ字状の棒体で、角部をブラケット板５に左右方向のピン１０で回転可能に軸着する一方、短手端部９の先端をスライダ３の後端に図示しないピンで回転可能に軸着している。よって、各レバー７の長手端部８を把持して支点となるピン１０を中心に回転させることで、作用点となる短手端部９の先端を回転させてスライダ３を前後方向へスライドさせることができる。但し、治具本体２内でスライダ３の外側には、図３に示すように、スライダ３と平行な凹溝１１，１１が夫々形成されて、各凹溝１１に収容されたコイルバネ１２が、スライダ３の外面から凹溝１１内に突設された連係片１３を介してスライダ３を前進位置へ付勢している。一方、各スライダ３の前方には、図４に示すように、スライダ３の上面から出没可能且つ図示しないコイルバネによって突出位置へ付勢されるロックピン１４が内設されて、スライダ３の後退位置では、ロックピン１４の先端が治具本体２に設けられたロック孔１５に嵌合してスライダ３を後退位置で保持可能としている。
【００１１】
また、治具本体２の中央でスライダ３，３の間には、一対の固定刃ユニット１６，１６が組み込まれている。この固定刃ユニット１６は、図５にも示すように、中心寄りの端縁際に、前後方向へ所定間隔をおいて５つの軸孔１７，１７・・を穿設し、上面に、各軸孔１７に連通した左右方向の固定溝１９を有する５つの固定刃１８，１８・・を突設したもので、下面には、前後両端と中央の軸孔１７に対応して軸孔１７を下方へ延長させる３つの筒体２０，２０・・が延設されている。
さらに、各固定刃１８における固定溝１９の形成部分には、図８（Ａ）にも示すように、軸孔１７の軸方向で見て円弧状となる切欠部２１，２１が、固定溝１９を中心とした左右対称となるように設けられて、当該部分に、軸孔１７の軸方向から見て先端が軸孔１７の円周上に位置する鋭角状の刃部２２，２２・・を４カ所形成している。なお、固定溝１９の互いの対向面は、上端を除いて軸孔１７に連続する凹曲面となって、上端には、軸孔１７の中心側に突出する抜け止め部２３，２３が形成されている。
【００１２】
この固定刃ユニット１６を互いに固定刃１８の列が隣接するように一対組み合わせることで、治具本体２の中央には、５つの固定刃１８の列が２列並ぶことになるが、ここでは左右の列が同じ位置ではなく、左側の固定刃１８の列が右側の固定刃１８の列よりもやや前方に設けられて、組み合わせ状態では固定刃１８が左右で互い違いとなる千鳥状に配置されるようになっている。また、各固定刃１８，１８の間には、固定溝１９と同じ深さでＵ字状の受け部２４，２４・・が形成されている。よって、ここでは、最前方及び最後方に位置する固定刃１８，１８を除いて、左右方向に固定刃１８の固定溝１９と受け部２４とが隣接することになる。
【００１３】
そして、各固定刃ユニット１６の各軸孔１７には、可動刃２５が夫々回転可能且つ上下移動可能に収容されている。この可動刃２５は、回転軸体２６の上端に、図７，８に示す如く、固定刃１８の固定溝１９と同じ幅及び深さを有する可動溝２７を、回転軸体２６の直径方向に形成して、回転軸体２６の回転位置によって固定溝１９と直線状に繋がるようにしたもので、可動溝２７の形成により、各可動刃２５には、回転軸体２６の軸方向で見て、回転軸体２６の周面と可動溝２７の内面とによって鋭角状の刃部２８，２８・・が４カ所に形成されることになる。
【００１４】
また、各可動刃２５の下端は、図３に示すように、治具本体２を貫通して下面に突出しており、その突出端には、回転軸体２６よりも大径の係止部２９が形成されている。３０，３０は、治具本体２の下面中央にボルト３１で夫々固定された切替治具としての切替ブロックで、この切替ブロック３０の互いの対向面には、当該側の列の可動刃２５の係止部２９を含む下端部分が嵌合可能な嵌合溝３２，３２・・が、可動刃２５の上端が固定刃１８の抜け止め部２３に近接する図３の上限位置（使用位置）と、可動刃２５の上端が固定刃１８から下方へ離れて治具本体２内へ没入する下限位置（不使用位置）との何れかに可動刃２５が位置するように各可動刃２５ごとに凹設されている。よって、電線の切断箇所に合わせて使用／不使用が決定される可動刃２５のパターンごとに嵌合溝３２を形成した切替ブロック３０を複数組用意しておき、当該パターンに応じて切替ブロック３０を付け替えて各嵌合溝３２に対応する可動刃２５の係止部２９を嵌合させれば、電線の切断箇所に合わせた可動刃２５の使用／不使用の切替が容易に行えることになる。
【００１５】
さらに、治具本体２内で各可動刃２５には、カットレバー３３が夫々連結されている。このカットレバー３３は、図４にも示すように、先端に二股部３４を形成した板状体で、基端に形成した二面幅の透孔と回転軸体２６に形成した二面幅部との嵌合によって可動刃２５と一体回転可能且つ回転軸体２６の軸方向へ移動可能となっている。一方、スライダ３，３の互いの対向面には、中央の仕切壁３５によって上下に分割される差込部３６，３６が形成されて、各差込部３６内に、平面視で可動刃２５の列と同じ間隔となる５本のロッド３７，３７・・が、下側の差込部３６に前後両端と中央との３本、上側の差込部３６に残りの２本が夫々位置するように上下方向へ互い違いに設けられている。このカットレバー３３及びロッド３７が本発明の連係機構となる。
【００１６】
このロッド３７の配置に合わせて各カットレバー３３も、前後両端と中央との３つが下側、残りの２つが上側となるように回転軸体２６に対する上下位置を互い違いにずらせて、下側の３つのカットレバー３３は、夫々二股部３４を下側の差込部３６に差し込んで対応するロッド３７を遊挿させ、上側の２つのカットレバー３３は、夫々二股部３４を上側の差込部３６に差し込んで対応するロッド３７を遊挿させている。ここでは、スライダ３，３の前進位置で、先頭のロッド３７が先頭の可動刃２５よりも前方に位置する設定となっており、この状態で各カットレバー３３は、二股部３４が可動刃２５よりも前方で各ロッド３７を遊挿させる斜め姿勢となり、各可動刃２５は、可動溝２７が固定溝１９と直線状に繋がる回転位置となっている。
【００１７】
以上の如く構成された治具１によって電線を切断する対象としては、図６に示すような圧接ジョイントコネクタ４０が考えられる。この圧接ジョイントコネクタ４０は、複数の略平行な収容溝４２，４２・・を長手方向に凹設した平面矩形状のハウジング４１と、そのハウジング４１の上面を閉塞するカバー４３とを備え、各収容溝４２の長手方向両端に、電線４５を圧接して収容溝４２との直交方向への隣接同士で連結した圧接端子４４，４４・・を配設して、圧接端子４４，４４の間で任意の電線４５の中間部を切断することで、所定の分岐数での分岐回路を形成可能としたものである。
【００１８】
この電線４５を切断する場合、まず切替ブロック３０の選択によって可動刃２５の使用／不使用を切り替えた後、スライダ３，３が前進位置にあって各固定溝１９と可動溝２７とが連続状に繋がる状態で、固定刃１８の突出側を下にして各固定溝１９及び可動溝２７に電線４５を夫々挿入させる。なお、このように小さいピッチで布線される電線４５であっても、図７に示すように、千鳥状に配置した固定刃１８の固定溝１９と受け部２４とに跨って支障なく挿入することができる。
【００１９】
次にグリップ６と同時に握り込むようにしてレバー７を回転させると、スライダ３が後退し、同時に後退する各ロッド３７がカットレバー３３の二股部３４内を相対的にスライドしながらカットレバー３３を後方へ旋回させ、各可動刃２５を回転させる（図８（Ｂ）（Ｃ）内の矢印参照）。すると、同図（Ｂ）に示すように、電線４５における可動溝２７への挿入部分が回転しようとすることで、Ａ部では点対称に位置する可動刃２５の刃部２８，２８が回転方向へ進みながら電線４５の絶縁被覆４６及び中心導体４７に食い込んで切断を開始する一方、刃部２８，２８と逆の点対称に位置するＢ部では、刃部２２，２２が回転する電線４５を受ける格好で絶縁被覆４６及び中心導体４７に食い込んで切断を開始する。よって、電線４５における可動溝２７への挿入部分の両端が可動刃２５の周面に沿って刃部２２，２８により剪断される。
【００２０】
スライダ３が後退位置に達すると、回転軸体２６の回転が進んで刃部２８，２８が刃部２２，２２を過ぎ、同図（Ｃ）のように電線４５が可動溝２７の両端で完全に切断される。このとき固定刃１８の固定溝１９側に残る電線４５の両切断面は、鋭角な刃部２２，２８による剪断によっていびつになることなく綺麗な面となる。また、この後退位置ではスライダ３のロックピン１４が治具本体２のロック孔１５に嵌合するため、スライダ３はコイルバネ１２の付勢に抗して後退位置で保持される。なお、切断された電線４５の一部は、両端が固定刃１８の抜け止め部２３，２３に係止するため、そのまま治具１をハウジング４１側から持ち上げても落下することはない。
【００２１】
その後、グリップ６を把持したまま治具１を切断した電線の廃棄箇所へ移し、廃棄箇所にロック孔１５，１５に合わせて立設された一対の解除ピンをロック孔１５，１５にあてがい、治具１を押し下げると、解除ピンによってロックピン１４が押し込まれてロック孔１５との嵌合が解除される。よって、スライダ３がコイルバネ１２の付勢によって前進位置へスライドする。このスライダ３の前進によってロッド３７がカットレバー３３を前方へスライドさせて可動刃２５を回転させるため、スライダ３が前進位置へ達すると、可動刃２５の可動溝２６が固定溝１９と直線状となる初期位置に復帰すると共に、抜け止め部２３，２３に係止していた電線４５の一部が可動溝２６から落下して廃棄される。
なお、レバー７は何れか一方ずつ操作してもよいし、２本同時に操作してもよい。
【００２２】
このように、上記形態の治具１によれば、固定刃１８と可動刃２５とを、直線状に且つ固定溝１９が互いに平行となるように複数組配設する一方、治具本体２に、前後方向へスライド可能で、そのスライドに伴いカットレバー３３及びロッド３７を介して各可動刃２５を同調して回転させるスライダ３を設けると共に、スライダ３に連結され、テコの原理を利用して回転操作によってスライダ３をスライドさせるレバー７を設けたことで、複数の電線であってもレバー７を利用して手動で容易に同時切断可能となり、作業者への負荷を軽減して良好な使い勝手が得られる。而も、レバー７とグリップ６とを共に握り込むことができる構造であるから、作業者は無理なく電線の切断を行うことができる。
特にここでは、固定刃１８と可動刃２５との組を、２列で且つ左右互い違いとなる千鳥状に配設したことで、ピッチの小さい電線でも支障なく切断可能となる。
さらに、固定刃１８にも鋭角状の刃部２２を設けたことで、電線を見栄えよく綺麗に切断することができる。また、切断抵抗が低減されるので、固定刃１８及び可動刃２５の寿命が長くなって耐久性に優れる上、作業者への負荷も軽減されて使い勝手が良好となる。
【００２３】
なお、上記形態では２つのスライダに夫々レバーを設けているが、２つのスライダの間に１つのレバーを設けて両者と連結し、１つのレバー操作で２つのスライダを同時にスライドさせる構造としても差し支えない。
また、スライダは２つに限らず、１つでもよいし、逆に３つ以上あっても差し支えない。よって、レバーも１又は複数のスライダごとに設ける等の変更が可能である。
さらに、上記形態では、可動刃とカットレバーとを二面幅で結合しているが、これと逆に、ロッドでカットレバーの基端を回転可能に軸着する一方、二股部を回転軸体の二面幅部に嵌合させてスライダと可動刃との連係を図ることもできる。勿論カットレバーとロッドとに限らず、連係機構としては、回転軸体から放射方向に突設したアームをスライダに連結したものや、スライダの側面にラックを、回転軸体にピニオンを夫々設けて、ラックとピニオンとの噛み合いによって可動刃をスライダに連係させる機構等も考えられる。
【００２４】
一方、固定刃及び可動刃の数や形態も上記形態に限らず、数を増減したり、千鳥状でなく単純な直線状にしたり、固定刃側の刃部の鋭角状の角度を変更したり等の種々の設計変更が可能である。また、固定刃側の刃部の角度は円弧状の切欠部に限らず、切除面が平面となる切欠で鋭角状としてもよい。さらに、上記形態のように可動刃の回転方向が一方向のみであれば、固定刃側の刃部は、電線の受け側となる点対称位置にのみ形成することも可能である。勿論切欠部をなくして固定溝を同幅で形成することもできる。
【図面の簡単な説明】
【００２５】
【図１】治具の斜視図である。
【図２】治具の３面図である。
【図３】Ａ−Ａ線断面図である。
【図４】Ｂ−Ｂ線断面図である。
【図５】固定刃ユニットの説明図で、上が平面、下が正面、右がＣ−Ｃ線断面を夫々示す。
【図６】圧接ジョイントコネクタの斜視図である。
【図７】治具による電線の切断状態を示す説明図である。
【図８】固定刃及び可動刃による電線の切断状態の説明図で、（Ａ）が切断前、（Ｂ）が切断開始時、（Ｃ）が切断終了時を夫々示す。
【符号の説明】
【００２６】
１・・電線切断治具、２・・治具本体、３・・スライダ、６・・グリップ、７・・レバー、１４・・ロックピン、１５・・ロック孔、１６・・固定刃ユニット、１７・・軸孔、１８・・固定刃、１９・・固定溝、２２，２８・・刃部、２５・・可動刃、２６・・回転軸体、２７・・可動溝、３０・・切替ブロック、３３・・カットレバー、３４・・二股部、４０・・圧接ジョイントコネクタ、４２・・収容溝、４４・・圧接端子、４５・・電線。
【図１】
2008114292.tif 000003
【図２】
2008114292.tif 000004
【図３】
2008114292.tif 000005
【図４】
2008114292.tif 000006
【図５】
2008114292.tif 000007
【図６】
2008114292.tif 000008
【図７】
2008114292.tif 000009
【図８】
2008114292.tif 000010